【事件の表示】
　平成１１年特許願第１７２７５９号「光監視チャネル転送装置」拒絶査定不服審判事件〔平成１３年　１月１２日出願公開、特開２００１−　　７８２９〕について、次のとおり審決する。
【結　論】
　本件審判の請求は、成り立たない。
【理　由】
１．手続の経緯・本願発明　
　本願は，平成１１年６月１８日に出願したものであって，本願の請求項１に係る発明（以下，「本願発明」という。）は，平成１７年１２月２７日付けの手続補正により補正された明細書及び図面の記載からみて，その特許請求の範囲の請求項１に記載された事項により特定される次のとおりのものである。　
　　　　　　　　　　　　　　　　
「【請求項１】光伝達ネットワークに接続される複数の光分岐挿入装置にそれぞれ配置される光監視チャネル転送装置であって，上流装置から送出された主信号とは別波長の，ＳＤＨあるいはＳＯＮＥＴのフレーム構成を有する光監視チャネル光信号を受信して光監視チャネル信号を得る光受信回路と，該光監視チャネル信号からＳＤＨあるいはＳＯＮＥＴのオーバーヘッド部を分離する回路と，セクションの管理情報を格納する，該オーバーヘッド部のオーバーヘッドバイトに対し，光伝送セクションおよび光多重セクションの管理情報の書込みおよび読出しを実施する処理回路と，該処理回路から出力されるＳＤＨあるいはＳＯＮＥＴのオーバーヘッド部を光監視チャネル信号に挿入する回路と，該回路から出力される光監視チャネル信号を，主信号とは別波長の光監視チャネル光信号に変換して下流装置へと送出する光送信回路とを備えたことを特徴とする光監視チャネル転送装置。」
　　　　　　　　　　　　　　　　
２．引用発明
　原査定の拒絶の理由に引用され，本願の出願の日前である平成１１年４月１３日に頒布された特開平１１−１０３２７５号公報（以下，「引用文献」という。）には，図面とともに以下の記載がある。　
　イ）「【０００１】
【発明の属する技術分野】本発明は、波長分割多重（ＷＤＭ）伝送システムの監視方式に関し、特に光波長挿入分離装置の監視システムに関する。
【０００２】
【従来の技術】従来，光伝送装置監視方式としては図５に示す構成が知られている。図５のシステムは光波長λ１〜λｎを波長分割多重して片方向の伝送を行い，中継するノードにて任意の波長を分離／挿入する機能を有している。
【０００３】図５において，監視システムは，送信ノード３０１，中継ノード３０２，受信ノード３０３，光ファイバ伝送路３０４，３０５から構成されている。送信ノード３０１は，光送信部３１０−１〜ｎ，波長多重部３１１，光アンプ３１２，光結合器３１３，監視信号インタフェース部３１４から構成されている。中継ノード３０２は，波長挿入分離部３２０，光受信部３２１，光送信部３２２，監視信号インタフェース３２３，分波器３２４，光結合器３２５から構成されている。受信ノード３０３は，分波器３３０，光アンプ３３１，波長分離部３３２，光受信部３３３−１〜ｎ，監視信号インタフェース３３４から構成されている。
【０００４】図５において，送信ノード３０１は，λ１〜λｎのｎ個の波長を多重化し，多重化光信号を光ファイバ伝送路３０４に送出する。中継ノード３０２は光ファイバ伝送路３０４から受信した光信号中の任意の波長を分離／挿入し，再び光ファイバ伝送路３０５へ送出する。受信ノード３０３は，受信した光信号をλ１〜λｎのｎ個の光信号に分離する。
【０００５】送信ノード３０１は，光送信部３１０−１〜ｎから出力される波長λ１〜λｎの光信号を波長多重部３１１にて波長分割多重し，光アンプ３１２で増幅し，光結合器３１３を介して光ファイバ伝送路３０４へ送出する。
【０００６】中継ノード３０２は，受信した波長多重光信号を，分波器３２４を介して波長挿入分離部３２０に入力する。波長挿入分離部３２０は，前記波長多重光信号中の特定あるいは任意の波長チャネルλｉを分離し，光受信部３２１にて分離波長信号λｉを受信／終端する。また一方で，分離した波長チャネルと同一の波長λｉの光信号を光送信部３２２で生成し，波長挿入分離部３２０に入力する。波長挿入分離部は，λｉを分離した後の波長多重光信号に，前記λｉの光信号を挿入し，光結合器３２５を介して再び光ファイバ伝送路３０５へ送出する。
【０００７】受信ノード３０３は，受信した波長多重光信号を，分波器３３０を介して光アンプ３３１で増幅した後，波長分離部３３２にて波長λ１〜λｎのｎ個の光信号に分離し，光受信部３３３−１〜ｎでそれぞれを受信／終端する。
【０００８】次に上記波長多重光伝送方式において，波長情報等の監視情報を管理する方法について述べる。
【０００９】図５中の送信ノード３０１は，光送信部３１０−１〜ｎより送出される光信号の波長やレベル等の情報を監視信号インタフェース部３１４にて収集し，これを基にデータ信号を生成し，監視信号用の波長λｓｖの光信号に変換して出力する。
波長λｓｖの光信号は，光結合器３１３にて前記λ１〜λｎの波長多重信号と結合され，光ファイバ伝送路３０４に送出される。
【００１０】中継ノード３０２は，分波器３２４にて受信した波長多重光信号中の波長λｓｖのみを分離して監視信号インタフェース３２３に入力する。監視信号インタフェース３２３では，波長挿入分離部にて分離した波長，受信レベル，挿入した波長，送信レベル等の情報を入力し，前記受信したλｓｖの信号中にこれらの情報を追記し，再び波長λｓｖの信号として光結合器３２５を介して光ファイバ伝送路３０５へ送出する。
【００１１】受信ノード３０３は，分波器３３０にて監視信号波長λｓｖを分離し，監視信号インタフェース３３４に入力する。ここでは送信ノードおよび中継ノードにおける波長情報等を受信し，ネットワーク管理者に伝送系の状態を通知する。
【００１２】以上により波長挿入分離装置の監視を行うものであった。」（第３頁第３欄〜第４頁第５欄），　　
　ロ）「【００３５】
【実施例】
〔実施例１〕以下本発明を図面を参照しつつ，実施例に即して詳細に説明する。
【００３６】本発明による光波長挿入分離装置監視方式の第一の実施例の構成図を図１に示す。図１に示す光波長挿入分離装置監視システムは光波長λ１〜λｎを波長分割多重して片方向の伝送を行い中継するノードにて任意の波長を分離／挿入する機能を有している。
【００３７】図１に示す光波長挿入分離装置監視システムは，送信ノード１，中継ノード２，３は受信ノード，光ファイバ伝送路４，５から構成される。送信ノード１は，光送信部１０−１〜ｎ，波長多重部１１，光アンプ１２，監視信号制御部１３から構成される。中継ノード２は，波長挿入分離部２０，光受信部２１，光送信部２２，監視信号制御部２３から構成される。受信ノード３は，光アンプ３０，波長分離部３１，光受信部３２−１〜ｎ，監視信号制御部３３から構成される。
【００３８】図１において，送信ノード１は，光送信部１０−１〜ｎから出力される波長λ１〜λｎの光信号を波長多重部１１にて波長分割多重し，この波長多重光信号を光アンプ１２で増幅し，増幅出力を光ファイバ伝送路４へ送出する。各ノードにおいてデータ信号内に書き込みあるいは読み出す波長情報は，データ信号のフレーム内に設けた波長情報用のビットに書き込むことにより実現する。たとえば，ＳＤＨ（Ｓｙｎｃｈｒｏｎｏｕｓ　Ｄｉｇｉｔａｌ　Ｈｉｅｒａｒｃｈｙ）で規定されている，ＳＴＭ−Ｎ信号内のＳＯＨ（Ｓｅｃｔｉｏｎ　Ｏｖｅｒ　Ｈｅａｄ）内の空きビットをこのような波長情報転送用のビットに利用することもできる。
【００３９】中継ノード２は，受信した波長多重光信号を波長挿入分離部２０に入力する。波長挿入分離部２０は，前記波長多重光信号中の特定あるいは任意の波長チャネルλｉを分離し，光受信部２１にて分離波長信号λｉを受信／終端する。また一方で，分離した波長チャネルと同一のチャネルで波長λｉの光信号を光送信部２２で生成し，波長挿入分離部２０に入力する。波長挿入分離部は，λｉを分離した後の波長多重光信号に，前記λｉの光信号を挿入して再び光ファイバ伝送路５へ送出する。
【００４０】受信ノード３は，受信した波長多重光信号を光アンプ３０で増幅した後，波長分離部３１にて波長λ１〜λｎのｎ個の光信号に分離し，光受信部３２−１〜ｎでそれぞれを受信／終端する。波長分離部３１としては，光分波器を用いる。
【００４１】次に上記波長多重光伝送方式において，波長情報等の監視情報を管理する方法について述べる。
【００４２】図１中の送信ノード１は，光送信部１０−１〜ｎより送出される光信号の波長，レベル等の情報を監視信号制御部１３にて収集し，これらを基にデータ信号を生成し，該当する波長チャネルのデータ信号中のオーバヘッドにそれぞれ書き込む。
【００４３】中継ノード２は分離した波長のデータ信号を光受信部２１にて終端し，オーバヘッド中に書き込まれていたチャネル番号等の情報を検出して監視制御部２３に送出する。監視制御部２３は前記オーバヘッドから読み出した情報と，波長挿入分離部２０に送った波長選択信号とを比較し，所望のチャネルを正確に分離，受信できたかどうかを検出する。さらに監視制御部２３は受信オーバヘッド中から読み出した情報に加えて，前記チャネル番号の一致／不一致や光受信部における受信信号の同期状態，エラー個数などの情報を，光送信部２２に送出し，光送信部２２にて前記情報を送信データ信号のオーバヘッド中に挿入する。
【００４４】受信ノード３は波長λ１〜λｎの信号を光受信部３２−１〜ｎにて終端し，前記オーバヘッド内に書き込まれた監視情報を全て監視制御部３３に送出し，監視制御部３３から図では示されていないネットワーク管理者に通知する。」（第５頁第８欄〜第６頁第９欄），　
　
　上記摘記事項イ）に記載された「従来の技術」において，
　波長挿入分離部３２０，分波器３２４，光結合器３２５から構成されている部位は，光分岐挿入装置ということができ，また，図３等から明らかなように，波長分割多重伝送システムにおいて，このような分岐挿入装置が複数あることは自明であり，
送信ノードは，中継ノードに対して，上流装置であり，
　監視信号用の波長λｓｖは光信号は，監視信号を載せるものであるから，光監視チャネル光信号ということができ，
　段落【０００９】によれば，光監視チャネル光信号である波長λｓｖの光信号は，λ１〜λｎのｎ個の光信号とは別波長であり，
　λ１〜λｎのｎ個の光信号は，光監視チャネル光信号以外の主たる情報を載せるものであるから，主信号ということができ，
　段落【００１０】によれば，監視信号インタフェースは，波長λｓｖの光信号を受信し，波長，受信レベル・・・等の情報を入力し，受信したλｓｖの信号中にこれらの情報を追記し，・・・ファイバ伝送路３０５へ送出しているから，当然，光監視チャネル光信号を受信して光監視チャネル信号を得る光受信回路を有し，また，波長，受信レベル，挿入した波長，送信レベル等の情報は，監視情報であり，この監視情報の入力・追記には，その処理のための回路は自明的に存在し，再び波長λｓｖの信号とするためには，主信号とは別波長の光監視チャネル光信号に変換して下流装置へと送出する光送信回路も自明的に存在する。
　したがって，上記引用文献には，　
　「波長分割多重伝送システムに接続される複数の光分岐挿入装置にそれぞれ配置される監視信号インタフェースであって，上流装置から送出された主信号とは別波長の，光監視チャネル光信号を受信して光監視チャネル信号を得る光受信回路と，監視情報の入力・追記のための回路，該処理回路から出力される光監視チャネル信号を，主信号とは別波長の光監視チャネル光信号に変換して下流装置へと送出する光送信回路とを備えた監視信号インターフェース。」（以下，「引用発明」という。）が開示されているものと認められる。　
　　　　　　　　　　　　　　　　　　
　３．対比　
　　そこで，本願発明と引用発明とを対比すると，
　引用発明の「波長分割多重伝送システム」は，光伝達ネットワークであり，
　引用発明の「監視信号インタフェース」は，その機能・作用からして，本願発明の「光監視チャネル転送装置」に相当するから，本願発明と引用発明は，次の点で一致し，相違する。　
　　　　　　　　　　　　　　　
（一致点）　
　光伝達ネットワークに接続される複数の光分岐挿入装置にそれぞれ配置される光監視チャネル転送装置であって，上流装置から送出された主信号とは別波長の光監視チャネル光信号を受信して光監視チャネル信号を得る光受信回路と，光監視チャネル信号を，主信号とは別波長の光監視チャネル光信号に変換して下流装置へと送出する光送信回路とを備えた光監視チャネル転送装置。
　
（相違点１）　
　本願発明の「光監視チャネル光信号」は，「ＳＤＨあるいはＳＯＮＥＴのフレーム構成を有」しているのに対して，引用発明はフレーム構成の詳細は不明である。
　　　　　　　　　　　　　　
（相違点２）
　本願発明では，「光監視チャネル信号からＳＤＨあるいはＳＯＮＥＴのオーバーヘッド部を分離する回路と，セクションの管理情報を格納する，該オーバーヘッド部のオーバーヘッドバイトに対し，光伝送セクションおよび光多重セクションの管理情報の書込みおよび読出しを実施する処理回路と，該処理回路から出力されるＳＤＨあるいはＳＯＮＥＴのオーバーヘッド部を光監視チャネル信号に挿入する回路」を備えているのに対して，引用発明には，この構成はない。
　
　４．当審の判断　
　そこで，相違点について検討する。　
　　　　　　　　　　　　　　　
　（相違点１について）　
　波長分割多重伝送システムのような光伝達ネットワークにおける伝送方式として，ＳＤＨあるいはＳＯＮＥＴは最も標準的な手法であり，引用発明に関して，引用文献に記載された従来の技術中には，伝送方式が特に明記されていないものの，実施例に係る摘記事項ロ）において，ＳＤＨあるいはＳＯＮＥＴのフレーム構成が採用されていることからも明らかなように，引用発明において，「光監視チャネル光信号」として「ＳＤＨあるいはＳＯＮＥＴのフレーム構成」を採用することは，自明な事項の範囲に属するもの，あるいは周知事項の単なる付加ということができる。
　　　　
　（相違点２について）　
　ＳＤＨあるいはＳＯＮＥＴ伝送方式において，「オーバーヘッド部を分離する回路と，セクションの管理情報を格納する，該オーバーヘッド部のオーバーヘッドバイトに対し，光伝送セクションおよび光多重セクションの管理情報の書込みおよび読出しを実施する処理回路」をノードに備えることは自明である。してみると，主信号ではない光監視チャネル信号においても，ＳＤＨあるいはＳＯＮＥＴのフレーム構成を採用する以上，「ＳＤＨあるいはＳＯＮＥＴのオーバーヘッド部を光監視チャネル信号に挿入する」ことは当然の事項でしかなく，格別創意工夫を要するものとはいえない。
　　　
　そして，本願発明の作用効果も，引用発明，及び周知技術から当業者が予測できる範囲のものである。　
　　　
　５．むすび　
　　以上のとおり，本願発明は，刊行物に記載された発明，及び周知技術に基いて当業者が容易に発明をすることができたものであるから，特許法第２９条第２項の規定により特許を受けることができないものである。　
　　　　　　　　　　　　　　
　　よって，結論のとおり審決する。